(57)【要約】【課題】従来よりも簡単に調色可能にする。【解決手段】口金12が第１ランプソケット３に装着されると一対の個別端子ピン14が受け側端子31，32とそれぞれ接続される。同様に、口金13が第２ランプソケット４に装着されると共通端子ピン15が受け側端子41と接続される。第１点灯回路部21及び第２点灯回路部22は、PWM制御によってそれぞれ個別に給電量を調整することができる。故に、本実施形態のＬＥＤランプ１では、互いに光色(色温度)の異なる複数の光源部10A，10Bを備えているため、光色の異なる複数本のＬＥＤランプを用いる必要が無く、従来よりも簡単に調色可能になる。【選択図】        図１
2013143349.tif 000002
【特許請求の範囲】
【請求項１】
直列接続された複数個のＬＥＤ並びに前記ＬＥＤの直列回路の両端と各別に接続された一対の電極をそれぞれ有する複数の光源部と、透光性材料によって直管状に形成され且つ複数の前記光源部を内部に収納する発光管と、前記発光管の端部を封止する一対の口金と、一方の前記口金に設けられ、前記光源部の一方の電極と個別に接続された複数の個別端子と、他方の前記口金に設けられ、前記光源部の他方の電極と共通に接続された共通端子とを備え、複数の前記光源部は、互いに異なる色の光を放射することを特徴とするＬＥＤランプ。
【請求項２】
複数の前記光源部は、互いに色温度が異なる光を放射することを特徴とする請求項１記載のＬＥＤランプ。
【請求項３】
赤色光を放射する前記光源部と、緑色光を放射する前記光源部と、青色光を放射する前記光源部とを備えることを特徴とする請求項１記載のＬＥＤランプ。
【請求項４】
複数の前記個別端子のうちの少なくとも２つは、前記口金から突出するピン状に形成されていることを特徴とする請求項１〜３の何れか１項に記載のＬＥＤランプ。
【請求項５】
複数の前記個別端子のうちの少なくとも１つは、前記口金から突出する突起状に形成されていることを特徴とする請求項１〜４の何れか１項に記載のＬＥＤランプ。
【請求項６】
複数の前記個別端子のうちの少なくとも３つが、前記口金から突出するピン状に形成され、さらに、ピン状に形成されている前記個別端子のうちの何れか２つは、残りの１つよりも小型であり且つ互いに隣り合って配置されることを特徴とする請求項１〜３の何れか１項に記載のＬＥＤランプ。
【請求項７】
請求項１〜６の何れかのＬＥＤランプを点灯する点灯装置であって、前記個別端子と前記共通端子を介して複数の前記光源部と各別に接続される複数の点灯回路部を備え、複数の前記点灯回路部は、それぞれが個別に前記光源部への給電量を調整することを特徴とする点灯装置。
【請求項８】
請求項１〜６の何れかのＬＥＤランプが備える前記個別端子及び前記共通端子と各別に接続される受け側端子を有する一対のランプソケットと、請求項７の点灯装置と、前記ランプソケット及び前記点灯装置を保持する器具本体とを備えることを特徴とする照明器具。
【発明の詳細な説明】
【技術分野】
【０００１】
本発明は、ＬＥＤランプ及び点灯装置、照明器具に関する。
【背景技術】
【０００２】
従来のＬＥＤランプとして、特許文献１に記載されている直管形のＬＥＤランプがある。このＬＥＤランプは、多数のＬＥＤチップが実装された実装基板が円筒形のガラス管内に収納され、給電用の端子ピンが突設された口金でガラス管の両端が封止されてなる。実装基板に実装されている多数のＬＥＤチップは、導電パターンによって直列(または直並列)に接続されている。また、ＬＥＤチップの直列回路の両端に端子ピンが接続されている。
【０００３】
上記ＬＥＤランプを点灯する点灯装置は、商用の交流電源から供給される交流電力を直流電力に変換し、端子ピンを介してＬＥＤランプに給電する。また、上記ＬＥＤランプが使用される照明器具は、上記点灯装置と、ＬＥＤランプの口金が着脱自在に装着されるランプソケットと、点灯装置及びランプソケットを保持する器具本体とで構成される。
【先行技術文献】
【特許文献】
【０００４】
【特許文献１】特許第４７５５３２３号公報
【発明の概要】
【発明が解決しようとする課題】
【０００５】
ところで、従来のＬＥＤランプは単一色の光(例えば、白色)しか放射していなかった。そのため、光色を調整(調色)するためには、それぞれに異なる色(例えば、白色と電球色など)を放射する複数のＬＥＤランプを用いなければならなかった。
【０００６】
本発明は、上記課題に鑑みて為されたものであり、従来よりも簡単に調色可能にすることを目的とする。
【課題を解決するための手段】
【０００７】
本発明のＬＥＤランプは、直列接続された複数個のＬＥＤ並びに前記ＬＥＤの直列回路の両端と各別に接続された一対の電極をそれぞれ有する複数の光源部と、透光性材料によって直管状に形成され且つ複数の前記光源部を内部に収納する発光管と、前記発光管の端部を封止する一対の口金と、一方の前記口金に設けられ、前記光源部の一方の電極と個別に接続された複数の個別端子と、他方の前記口金に設けられ、前記光源部の他方の電極と共通に接続された共通端子とを備え、複数の前記光源部は、互いに異なる色の光を放射することを特徴とする。
【０００８】
このＬＥＤランプにおいて、複数の前記光源部は、互いに色温度が異なる光を放射することが好ましい。
【０００９】
このＬＥＤランプにおいて、赤色光を放射する前記光源部と、緑色光を放射する前記光源部と、青色光を放射する前記光源部とを備えることが好ましい。
【００１０】
このＬＥＤランプにおいて、複数の前記個別端子のうちの少なくとも２つは、前記口金から突出するピン状に形成されていることが好ましい。
【００１１】
このＬＥＤランプにおいて、複数の前記個別端子のうちの少なくとも１つは、前記口金から突出する突起状に形成されていることが好ましい。
【００１２】
このＬＥＤランプにおいて、複数の前記個別端子のうちの少なくとも３つが、前記口金から突出するピン状に形成され、さらに、ピン状に形成されている前記個別端子のうちの何れか２つは、残りの１つよりも小型であり且つ互いに隣り合って配置されることが好ましい。
【００１３】
本発明の点灯装置は、前記何れかのＬＥＤランプを点灯する点灯装置であって、前記個別端子と前記共通端子を介して複数の前記光源部と各別に接続される複数の点灯回路部を備え、複数の前記点灯回路部は、それぞれが個別に前記光源部への給電量を調整することを特徴とする。
【００１４】
本発明の照明器具は、前記何れかのＬＥＤランプが備える前記個別端子及び前記共通端子と各別に接続される受け側端子を有する一対のランプソケットと、前記点灯装置と、前記ランプソケット及び前記点灯装置を保持する器具本体とを備えることを特徴とする。
【発明の効果】
【００１５】
本発明のＬＥＤランプ及び点灯装置、照明器具は、従来よりも簡単に調色可能になるという効果がある。
【図面の簡単な説明】
【００１６】
【図１】本発明に係るＬＥＤランプ及び点灯装置の実施形態１を示すブロック図である。
【図２】同上のＬＥＤランプを示し、(ａ)は一部省略した正面図、(ｂ)は左側面図、(ｃ)は右側面図である。
【図３】(ａ)はＬＥＤランプ及び点灯装置の実施形態２を示すブロック図、(ｂ)はＬＥＤランプの一部省略した斜視図である。
【図４】(ａ)はＬＥＤランプ及び点灯装置の実施形態３を示すブロック図、(ｂ)はＬＥＤランプの一部省略した斜視図である。
【図５】本発明に係る照明器具の実施形態を示す斜視図である。
【発明を実施するための形態】
【００１７】
以下、本発明に係るＬＥＤランプ及び点灯装置、照明器具の実施形態について、図面を参照して詳細に説明する。
【００１８】
(実施形態１)
本実施形態のＬＥＤランプ１は、図１に示すように第１光源部10A、第２光源部10B、発光管11、口金12，13、個別端子14，14、共通端子15などを備える。第１光源部10Aは、白色光を放射する複数個のＬＥＤの直列回路と、直列回路の両端に接続された一対の電極(図示せず)とを有している。また第２光源部10Bは、電球色光を放射する複数個のＬＥＤの直列回路と、直列回路の両端に接続された一対の電極(図示せず)とを有している。
【００１９】
発光管11は、ガラスなどの透光性材料によって直管状(円筒形状)に形成され、２つの第１光源部10Aと１つの第２光源部10Bとが長手方向に並ぶようにして収納され、その両端が口金12，13で封止される。
【００２０】
口金12，13は、日本電球工業会規格で規格化されているJEL801「Ｌ形ピン口金GX16t-5付直管形ＬＥＤランプシステム(一般照明用)」におけるＬＥＤランプの口金と同一の構造を有し、図２に示すように金属材料によって有底円筒形状に形成されている。一方の口金12の底面からは、一対のＬ形端子ピン(以下、個別端子ピンと呼ぶ。)14が突出している。図１における上側の個別端子ピン14は、発光管11の内部において２つの第１光源部10Aの一方の電極(アノード電極)と接続されている。また、図１における下側の個別端子ピン14は、発光管11の内部において第２光源部10Bの一方の電極(アノード電極)と接続されている。
【００２１】
他方の口金13の底面からは、平面視長円形状のフランジが先端に設けられた共通端子ピン15が突出している(図２参照)。この共通端子ピン15は、発光管11の内部において２つの第１光源部10A及び第２光源部10Bの他方の電極(カソード電極)とそれぞれ接続されている。なお、図１では、共通端子ピン15と電極とを接続する電路が発光管11からはみ出して記載されているが、実際は発光管11の内部に収納される。
【００２２】
本実施形態の点灯装置２は、図１に示すように電源回路20、第１点灯回路部21、第２点灯回路部22などを備える。電源回路20は、商用の交流電源100から供給される交流電力を直流電力に変換するものであって、従来周知の昇圧チョッパ回路を有する。また第１点灯回路部21は、電源回路20から出力される直流電力を降圧する降圧チョッパ回路と、降圧チョッパ回路のスイッチング素子をPWM制御することで第１光源部10Aに供給する電力を調整する制御回路とを有する。さらに第２点灯回路部22は、第１点灯回路部21と同様に降圧チョッパ回路及び制御回路を有する。ただし、昇圧チョッパ回路や降圧チョッパ回路、PWM制御用の制御回路は何れも従来周知であるから詳細な構成の図示並びに説明を省略する。
【００２３】
ここで、第１点灯回路部21の出力端は、第１ランプソケット３の一方の受け側端子31と、第２ランプソケット４の受け側端子41とに接続される。また第２点灯回路部22の出力端は、第１ランプソケット３の他方の受け側端子32と、第２ランプソケット４の受け側端子41とに接続される。
【００２４】
第１ランプソケット３は、合成樹脂材料によって略半円筒状に形成されたソケット本体30と、ソケット本体30内に収納されてＬＥＤランプ１の一対の個別端子ピン14と各別に接続される一対の受け側端子31，32とを備える。第２ランプソケット４は、合成樹脂材料によって略半円筒状に形成されたソケット本体40と、ソケット本体40内に収納されてＬＥＤランプ１の共通端子ピン15と接続される受け側端子41とを備える。
【００２５】
而して、口金12が第１ランプソケット３に装着されると一対の個別端子ピン14が受け側端子31，32とそれぞれ接続される。同様に、口金13が第２ランプソケット４に装着されると共通端子ピン15が受け側端子41と接続される。そして、第１点灯回路部21の出力端が一方の個別端子ピン14と共通端子ピン15に各別に接続され、第２点灯回路部22の出力端が他方の個別端子ピン14と共通端子ピン15に各別に接続される。その結果、点灯装置２の第１点灯回路部21は、第１及び第２ランプソケット３，４を介して２つの第１光源部10Aと接続され、第２点灯回路部22は、第１及び第２ランプソケット３，４を介して第２光源部10Bと接続される。
【００２６】
ここで、第１点灯回路部21及び第２点灯回路部22は、PWM制御によってそれぞれ個別に給電量を調整することができる。例えば、第１点灯回路部21が第１光源部10Aに定格電力(ＬＥＤの定格電流。以下、同じ。)を供給し、且つ第２点灯回路部22が第２光源部10Bに電力を供給していない場合、第１光源部10Aと第２光源部10Bを合わせた全体の光色が白色となる。また、第１点灯回路部21が第１光源部10Aに電力を供給せず、且つ第２点灯回路部22が第２光源部10Bに定格電力を供給している場合、第１光源部10Aと第２光源部10Bを合わせた全体の光色が電球色となる。さらに、第１点灯回路部21が第１光源部10Aに調光率Ｘ％の電力を供給し、且つ第２点灯回路部22が第２光源部10Bに調光率Ｙ％の電力を供給している場合、第１光源部10Aと第２光源部10Bを合わせた全体の光色が白色と電球色をＸ：Ｙで混色した光色となる。ただし、調光率は、PWM制御におけるオンデューティ比とする。
【００２７】
上述のように本実施形態のＬＥＤランプ１では、互いに光色(色温度)の異なる複数の光源部10A，10Bを備えているため、光色の異なる複数本のＬＥＤランプを用いる必要が無く、従来よりも簡単に調色可能になる。なお、第１点灯回路部21及び第２点灯回路部22は、外部から与えられる調色指令に応じて制御回路が調光率(オンデューティ比)を調整すればよい。
【００２８】
(実施形態２)
本実施形態は、図３(ａ)に示すようにＬＥＤランプ１及び点灯装置２の基本構成が実施形態１と共通である。故に、実施形態１と共通の構成要素には同一の符号を付して説明を省略する。
【００２９】
本実施形態のＬＥＤランプ１は、第１光源部10A及び第２光源部10Bの代わりに、３種類の光源部(赤色光源部10R、緑色光源部10G、青色光源部10B)を備えている。赤色光源部10Rは、赤色光を放射する複数個のＬＥＤの直列回路と、直列回路の両端に接続された一対の電極(図示せず)とを有している。また緑色光源部10Gは、緑色光を放射する複数個のＬＥＤの直列回路と、直列回路の両端に接続された一対の電極(図示せず)とを有している。同様に青色光源部10Bは、青色光を放射する複数個のＬＥＤの直列回路と、直列回路の両端に接続された一対の電極(図示せず)とを有している。そして、これら３種類の光源部10R，10G，10Bが長手方向に並ぶようにして発光管11内に収納される。
【００３０】
また、一方の口金12の底面には、図３(ｂ)に示すように一対のＬ形端子ピンからなる個別端子ピン14の間に、突起状の個別端子16が突設されている。図３(ａ)における上側の個別端子ピン14は、発光管11の内部において青色光源部10Bの一方の電極(アノード電極)と接続されている。また、図３(ａ)における下側の個別端子ピン14は、発光管11の内部において緑色光源部10Gの一方の電極(アノード電極)と接続されている。さらに、個別端子16は、発光管11の内部において赤色光源部10Rの一方の電極(アノード電極)と接続されている。
【００３１】
他方の口金13の共通端子ピン15は、発光管11の内部において３種類の光源部10R，10G，10ｂの他方の電極(カソード電極)とそれぞれ接続されている。なお、図３(ａ)では、共通端子ピン15と電極とを接続する電路が発光管11からはみ出して記載されているが、実際は発光管11の内部に収納される。
【００３２】
第１ランプソケット３には、２つの受け側端子31，32に加えて、突起状の個別端子16と接触導通する受け側端子33が設けられている。
【００３３】
本実施形態の点灯装置２は、第１点灯回路部21及び第２点灯回路部22の代わりに、青色点灯回路部23、緑色点灯回路部24、赤色点灯回路部25を備える。これら３つの点灯回路部23〜25は、第１点灯回路部21及び第２点灯回路部22と同様に降圧チョッパ回路と制御回路を有している。青色点灯回路部23の出力端は、第１ランプソケット３の一方の受け側端子31と、第２ランプソケット４の受け側端子41とに接続される。また緑色点灯回路部24の出力端は、第１ランプソケット３の他方の受け側端子32と、第２ランプソケット４の受け側端子41とに接続される。さらに赤色点灯回路部25の出力端は、第１ランプソケット３の受け側端子33と、第２ランプソケット４の受け側端子41とに接続される。
【００３４】
而して、口金12が第１ランプソケット３に装着されると一対の個別端子ピン14が受け側端子31，32とそれぞれ接続され、個別端子16が受け側端子33と接続(接触導通)される。同様に、口金13が第２ランプソケット４に装着されると共通端子ピン15が受け側端子41と接続される。そして、青色光源部10Bの出力端が一方の個別端子ピン14と共通端子ピン15に各別に接続され、緑色点灯回路部24の出力端が他方の個別端子ピン14と共通端子ピン15に各別に接続される。さらに赤色点灯回路部25の出力端が個別端子16と共通端子ピン15に各別に接続される。その結果、点灯装置２の青色点灯回路部23、緑色点灯回路部24、赤色点灯回路部25は、それぞれ第１及び第２ランプソケット３，４を介して青色光源部10B、緑色光源部10G、赤色光源部10Rと各別に接続される。
【００３５】
上述のように本実施形態のＬＥＤランプ１では、赤色、緑色、青色の３種類の光源部10R，10G，10Bを備えているため、光色の異なる複数本のＬＥＤランプを用いる必要が無く、従来よりも簡単に調色可能になる。さらに、実施形態１と比較して調色可能な範囲が拡大されるという利点がある。なお、３種類の点灯回路部23〜25は、外部から与えられる調色指令に応じて制御回路が調光率(オンデューティ比)を調整すればよい。
【００３６】
(実施形態３)
本実施形態は、図４(ａ)に示すようにＬＥＤランプ１及び点灯装置２の基本構成が実施形態２と共通である。故に、実施形態２と共通の構成要素には同一の符号を付して説明を省略する。
【００３７】
本実施形態のＬＥＤランプ１は、一方の口金12に３本の個別端子ピン14A，14B，14Cが設けられている。図４における下側の個別端子ピン14Cは、実施形態１，２における個別端子ピン14と共通のＬ形ピンからなる。一方、図４における上側の２本の個別端子ピン14A，14Bは、幅寸法が個別端子ピン14Cの約半分であるＬ形ピンで構成され、且つ幅方向に隣り合って配設される。
【００３８】
一方、第１ランプソケット３は、隣り合う２つの個別端子ピン14A，14Bと各別に接続される一対の受け側端子31A，31Bを備えている。
【００３９】
本実施形態の点灯装置２も実施形態２と同様に、青色点灯回路部23、緑色点灯回路部24、赤色点灯回路部25を備える。青色点灯回路部23の出力端は、第１ランプソケット３の受け側端子31Aと、第２ランプソケット４の受け側端子41とに接続される。また緑色点灯回路部24の出力端は、第１ランプソケット３の受け側端子32と、第２ランプソケット４の受け側端子41とに接続される。さらに赤色点灯回路部25の出力端は、第１ランプソケット３の受け側端子31Bと、第２ランプソケット４の受け側端子41とに接続される。
【００４０】
而して、口金12が第１ランプソケット３に装着されると３つの個別端子ピン14A〜14Cが受け側端子31A，31B，32とそれぞれ接続される。同様に、口金13が第２ランプソケット４に装着されると共通端子ピン15が受け側端子41と接続される。そして、青色光源部10Bの出力端が個別端子ピン14Aと共通端子ピン15に各別に接続され、緑色点灯回路部24の出力端が個別端子ピン14Cと共通端子ピン15に各別に接続される。さらに赤色点灯回路部25の出力端が個別端子ピン14Bと共通端子ピン15に各別に接続される。その結果、点灯装置２の青色点灯回路部23、緑色点灯回路部24、赤色点灯回路部25は、それぞれ第１及び第２ランプソケット３，４を介して青色光源部10B、緑色光源部10G、赤色光源部10Rと各別に接続される。
【００４１】
上述のように本実施形態のＬＥＤランプ１では、赤色、緑色、青色の３種類の光源部10R，10G，10Bを備えているため、光色の異なる複数本のＬＥＤランプを用いる必要が無く、従来よりも簡単に調色可能になる。さらに、実施形態１と比較して調色可能な範囲が拡大されるという利点がある。なお、３種類の点灯回路部23〜25は、外部から与えられる調色指令に応じて制御回路が調光率(オンデューティ比)を調整すればよい。
【００４２】
ところで、上述した実施形態１〜３の点灯装置２は、例えば、図５に示すような天井取付型の照明器具５に搭載される。ただし、天井取付型以外の照明器具に本発明の技術思想を適用しても構わない。
【００４３】
照明器具５は、器具本体50、２つの第１ランプソケット３及び第２ランプソケット４、点灯装置２、反射板51などを備える。
【００４４】
器具本体50は、金属板によって下面が開口した矩形箱形に形成されている。反射板51は、長尺の金属板がＶ字形に折曲されてなり、長手方向に沿って器具本体50の内底面に取り付けられる。また、長手方向に対向する器具本体50の内側面の一方に２つの第１ランプソケット３が並設され、前記内側面の他方に２つの第２ランプソケット４が並設される。なお、点灯装置２は器具本体50の内底面に取り付けられて反射板51で覆い隠されている。
【符号の説明】
【００４５】
１  ＬＥＤランプ
２  点灯装置
３  第１ランプソケット
４  第２ランプソケット
10A  第１光源部
10B  第２光源部
11  発光管
12，13  口金
14  個別端子ピン
15  共通端子ピン
21  第１点灯回路部
22  第２点灯回路部
【図１】
2013143349.tif 000003
【図２】
2013143349.tif 000004
【図３】
2013143349.tif 000005
【図４】
2013143349.tif 000006
【図５】
2013143349.tif 000007